(57)【要約】【課題】  コントラスト調整とともに、バックライト輝度調整とブライトネス調整を行うことで、液晶表示装置の消費電力を低減させる。【解決手段】  ステップＳ１２０では、コントラストを減少させるボタン（操作ボタン１に具備）が押されたかを調べ、押されていた場合は、ステップＳ１３０に進み、そうでない場合は、ステップＳ１６０に進む。ステップＳ１３０では、バックライト輝度を１ステップ減少させ、ステップＳ１４０では、コントラストを１ステップ減少させ、ステップＳ１５０では、ブライトネスを１ステップ増加させ、ステップＳ１１０に進む。このようにして各調整を行うことで、消費電力の減少が図れる。【選択図】  図２
2007003988.tif 000002
【特許請求の範囲】
【請求項１】
液晶表示部と、上記液晶表示部を後面から照射するバックライトと、コントラスト調整手段と、バックライト輝度調整手段と、ブライトネス調整手段とを備えた液晶表示装置であって、ユーザーによってコントラスト調整を行う操作が行われた際、コントラスト調整を行うとともに、これに連動して、バックライト輝度調整とブライトネス調整を行う制御手段を設けたことを特徴とする液晶表示装置。
【請求項２】
ユーザーによってコントラストを減少させる操作が行われた際、コントラストを減少させるとともに、これに連動して、バックライト輝度を減少させ、ブライトネスを増加させることを特徴とする請求項１記載の液晶表示装置。
【請求項３】
１回のコントラスト調整における、コントラスト調整量とバックライト輝度調整量とブライトネス調整量とを予め記憶していることを特徴とする請求項１又は２記載の液晶表示装置。
【請求項４】
液晶表示部と、上記液晶表示部を後面から照射するバックライトと、コントラスト調整手段と、バックライト輝度調整手段と、ブライトネス調整手段とを備えた液晶表示装置において、ユーザーによってコントラスト調整を行う操作が行われた際、コントラスト調整を行うステップと、バックライト輝度調整を行うステップと、ブライトネス調整を行うステップとを具備することを特徴とするコントラスト調整方法。
【請求項５】
ユーザーによってコントラストを減少させる操作が行われた際、コントラストを減少させるステップと、バックライト輝度を減少させるステップと、ブライトネスを増加させるステップとを具備することを特徴とする請求項４に記載のコントラスト調整方法。
【請求項６】
ユーザーによってコントラスト調整を行う操作が行われた際、予め記憶した調整量だけ、コントラスト調整とバックライト輝度調整とブライトネス調整とを行うことを特徴とする請求項４又は５記載のコントラスト調整方法。
【発明の詳細な説明】
【技術分野】
【０００１】
本発明は、液晶表示装置及びそのコントラスト調整方法に関するものである。
【背景技術】
【０００２】
液晶表示装置は、その特性上、ブラウン管表示装置に比べて、画質を調整することが多い。特に、その状況（設置場所、使用目的、映像の特性、視聴者の位置、等）によって、調整が、よく行われる。特許文献１や特許文献２には、この画質調整を行う技術が開示されている。
【０００３】
コントラスト調整は、明るい部分と暗い部分の比の調整である。コントラストを増加させた場合、明るい部分の輝度は増加し、暗い部分の輝度は減少する。また、コントラストを減少させた場合、明るい部分の輝度は減少し、暗い部分の輝度は増加する。コントラストの調整では、増加／減少にかかわらず、画面全体としての平均輝度は変わらない。
【０００４】
ブライトネス調整は、画面全体の輝度の調節である。画素の輝度にかかわらず、一定量だけ輝度を増減する。即ち、明るい部分の輝度の増減量と、暗い部分の輝度の増減量は、等しい。
【０００５】
バックライト輝度も、画面全体の輝度の調節である。しかし、輝度にかかわらず、一定の割合で輝度を増減する。即ち、暗い部分の輝度の増減量よりも、明るい部分の輝度の増減量の方が大きい。従って、バックライト輝度を増加させると、コントラストが増加し、且つ、ブライトネスが増加することになる。また、バックライト輝度を減少させると、コントラストが減少し、且つ、ブライトネスが減少することになる。
【０００６】
上述の三者（コントラスト、バックライト輝度、ブライトネス）のうち、コントラストとブライトネスの調整は、映像信号のデジタル処理を行うＩＣの内部処理であり、液晶表示装置の消費電力に与える影響はないが、バックライト輝度は、その増減によって、消費電力も増減する。従って、同じ画質ならば、バックライト輝度の低い方が、消費電力が低いため、より好ましいことになる。
【０００７】
【特許文献１】特開平６−２２２４９号公報
【特許文献２】特開平８−６８７２６号公報
【発明の開示】
【発明が解決しようとする課題】
【０００８】
上述のように、コントラスト調整、バックライト輝度調整、ブライトネス調整の三者の間には、関係がある。例えば、コントラストの減少は、バックライト輝度の減少とブライトネスの増加により実現できる。これは、バックライト輝度を減少させることで、コントラストとブライトネスが減少するが、このブライトネスの減少分を、ブライトネス調整によって増加させることで補償するというものである。同様に、コントラストの増加は、バックライト輝度の増加とブライトネスの減少により実現できる。
【０００９】
しかし、特許文献１や特許文献２に記載の液晶表示装置は、上述の三者を連動させて調整することはなく、特に、コントラストを減少させる場合において、バックライト輝度を減少させることがないため、消費電力を減少させることができるにもかかわらず、減少されずに液晶表示装置を使用し続ける可能性があった。
【００１０】
本発明は、上述の問題点に鑑みてなされたものであり、コントラスト調整とともに、バックライト輝度調整を行うことで、消費電力を低減させ、更にコントラスト調整、バックライト輝度調整と連動してブライトネス調整を行うことで、輝度を維持しながら、消費電力を低減させることを目的とする。
【課題を解決するための手段】
【００１１】
請求項１に記載の液晶表示装置は、液晶表示部と、上記液晶表示部を後面から照射するバックライトと、コントラスト調整手段と、バックライト輝度調整手段と、ブライトネス調整手段とを備えた液晶表示装置であって、ユーザーによってコントラスト調整を行う操作が行われた際、コントラスト調整を行うとともに、これに連動して、バックライト輝度調整とブライトネス調整を行う制御手段を設けたことを特徴とする。
【００１２】
請求項１に記載の液晶表示装置によれば、コントラスト調整を、バックライト輝度調整とブライトネス調整とともに行うことができる。
【００１３】
請求項２に記載の液晶表示装置は、請求項１において、ユーザーによってコントラストを減少させる操作が行われた際、コントラストを減少させるとともに、これに連動して、バックライト輝度を減少させ、ブライトネスを増加させることを特徴とする。
【００１４】
請求項２に記載の液晶表示装置によれば、コントラスト減少時に、バックライト輝度を減少させることで、消費電力を減少させることができる。
【００１５】
請求項３に記載の液晶表示装置は、請求項１又は２において、１回のコントラスト調整における、コントラスト調整量とバックライト輝度調整量とブライトネス調整量とを予め記憶していることを特徴とする。
【００１６】
請求項３に記載の液晶表示装置によれば、予め記憶した調整量で、各調整を行うことができる。
【００１７】
請求項４に記載のコントラスト調整方法は、液晶表示部と、上記液晶表示部を後面から照射するバックライトと、コントラスト調整手段と、バックライト輝度調整手段と、ブライトネス調整手段とを備えた液晶表示装置において、ユーザーによってコントラスト調整を行う操作が行われた際、コントラスト調整を行うステップと、バックライト輝度調整を行うステップと、ブライトネス調整を行うステップとを具備することを特徴とする。
【００１８】
請求項４に記載のコントラスト調整方法によれば、コントラスト調整を、バックライト輝度調整とブライトネス調整とともに行うことができる。
【００１９】
請求項５に記載の電子機器は、請求項４において、ユーザーによってコントラストを減少させる操作が行われた際、コントラストを減少させるステップと、バックライト輝度を減少させるステップと、ブライトネスを増加させるステップとを具備することを特徴とする。
【００２０】
請求項５に記載のコントラスト調整方法によれば、コントラスト減少時に、バックライト輝度を減少させることで、消費電力を減少させることができる。
【００２１】
請求項６に記載の電子機器は、請求項４又は５において、ユーザーによってコントラスト調整を行う操作が行われた際、予め記憶した調整量だけ、コントラスト調整とバックライト輝度調整とブライトネス調整とを行うことを特徴とする。
【００２２】
請求項６に記載のコントラスト調整方法によれば、予め記憶した調整量で、各調整を行うことができる。
【発明の効果】
【００２３】
本発明によれば、コントラスト調整とともに、バックライト輝度調整を行うことで、消費電力を低減させることができる。更にコントラスト調整、バックライト輝度調整と連動してブライトネス調整を行うことで、輝度を維持しながら、消費電力を低減させることができる。
【発明を実施するための最良の形態】
【００２４】
本発明の実施の形態を、図面を参照して説明する。なお、以下の実施例は本発明の具体例の１つに過ぎず、本発明が以下の実施形態に限定されるものではない。
【実施例】
【００２５】
本発明による一実施例が採用された液晶表示装置の装置構成を図１に示す。
【００２６】
ユーザーは、操作ボタン１により、画質調整のための操作を行う。ここで入力された操作情報は、制御手段たるマイコン２に送出される。マイコン２は、入力された操作情報に基づいて、コントラスト調整量、バックライト輝度調整量、ブライトネス調整量を決定し、バックライト輝度を調整する制御信号を、バックライトユニット４に対して送信し、コントラスト及びブライトネスを調整する制御信号を、ＳＣＡＬＥＲ  ＩＣ（映像信号デジタル処理ＩＣ）３に対して送信する。ＳＣＡＬＥＲ  ＩＣ３は、映像信号処理部５に対して、デジタル映像信号を送出する。バックライトユニット４及び映像信号処理部５は、ＬＣＤ（Ｌｉｑｕｉｄ  Ｃｒｙｓｔａｌ  Ｄｉｓｐｌａｙ）パネル６に配置される。
【００２７】
コントラスト調整の際の各調整量を、図３（ａ）に示す。
【００２８】
図３（ａ）は、コントラスト増加の際は、コントラストを１ステップ増加し、バックライト輝度を１ステップ増加し、ブライトネスを１ステップ減少させ、コントラスト減少の際は、コントラストを１ステップ減少させ、バックライト輝度を１ステップ減少させ、ブライトネスを１ステップ増加させることを示している。この表は、マイコン２に予め記憶されている。
【００２９】
このように構成された液晶表示装置におけるコントラスト調整の手順を、図２のフローチャートを用いて説明する。
【００３０】
コントラストを調整するモードに入ると、図２のフローチャートが開始される。先ず、ステップＳ１１０で、調整を終了するボタン（操作ボタン１に具備）が押されたかを調べ、押されていた場合は、コントラストを調整するモードを終了し、そうでない場合は、ステップＳ１２０に進む。
【００３１】
ステップＳ１２０では、コントラストを減少させるボタン（操作ボタン１に具備）が押されたかを調べ、押されていた場合は、ステップＳ１３０に進み、そうでない場合は、ステップＳ１６０に進む。ステップＳ１３０では、バックライト輝度を１ステップ減少させ、ステップＳ１４０では、コントラストを１ステップ減少させ、ステップＳ１５０では、ブライトネスを１ステップ増加させ、ステップＳ１１０に進む。
【００３２】
ステップＳ１６０では、コントラストを増加させるボタン（操作ボタン１に具備）が押されたかを調べ、押されていた場合は、ステップＳ１７０に進み、そうでない場合は、ステップＳ１１０に進む。ステップＳ１７０では、バックライト輝度を１ステップ増加させ、ステップＳ１８０では、コントラストを１ステップ増加させ、ステップＳ１９０では、ブライトネスを１ステップ減少させ、ステップＳ１１０に進む。
【００３３】
以上述べたように、本発明では、コントラスト調整とともに、バックライト輝度調整とブライトネス調整を行うことで、バックライトの消費電力を低減させることができ、液晶表示装置の消費電力を低減させることができる。
【００３４】
なお、上述の実施例は、図３（ａ）に示す表に従って、調整を行うものであるが、図３（ｂ）に示す表に従って、調整を行っても良い。この場合は、コントラスト増加の際は、コントラストを１ステップ増加し、バックライト輝度を２ステップ増加し、ブライトネスを３ステップ減少させ、コントラスト減少の際は、コントラストを１ステップ減少させ、バックライト輝度を２ステップ減少させ、ブライトネスを３ステップ増加させることになる。また、コントラストの増加の場合と減少の場合とで、調整量を変化させても良い。
【００３５】
更に、上述の実施例は、図２に示すフローチャートに従って、調整を行うものであるが、コントラストを増加させる手順（ステップＳ１６０の条件を満足する場合）において、ステップＳ１７０のバックライト輝度の増加とステップＳ１９０のブライトネスの減少を省略しても良い。この場合、コントラストを増加させる場合の手順は従来通りであり、コントラストを減少させる場合の手順は本発明によるものとなる。
【図面の簡単な説明】
【００３６】
【図１】実施例の装置構成を示すブロック図である。
【図２】実施例のフローチャートである。
【図３】実施例の調整量を示す表である。
【符号の説明】
【００３７】
１  操作ボタン
２  マイコン（制御手段）
３  ＳＣＡＬＥＲ  ＩＣ
４  バックライトユニット
５  映像信号処理部
６  ＬＣＤパネル
【図１】
2007003988.tif 000003
【図２】
2007003988.tif 000004
【図３】
2007003988.tif 000005